(57)【要約】【課題】利用者の特別なキー操作を要せずに装置側の判断で自動的に所定のキー操作を無効または制限することができる電子機器を得ること。【解決手段】電力検知機能部２０１は電力の供給を検知すると、プロセッサ機能部２０８への携帯状態通知２２１を非携帯状態にする。プロセッサ機能部２０８は携帯状態通知２２１が携帯状態から非携帯状態に切り替わると、無効に設定した一般キー操作有効通知２３０を出力する。キー操作検知機能部２１２は無効指示された一般キー操作有効通知２３０に基づき一般操作キー１０６の一般キー操作通知２２９をプロセッサ機能部２０８に出力しないようにする。利用者が電子機器をキーロック状態にしないことで生じる収容時の誤操作や他者による不正使用を防ぐことができ、また、利用者の使い勝手を改善することができる。【選択図】図２
2007329789.tif 000002
【特許請求の範囲】
【請求項１】
外部からの電力供給有無、または、受け台への設置有無に応じて携帯状態と非携帯状態とを検出する状態検出手段と、
前記状態検出手段が前記非携帯状態を検出した後に少なくとも一部のキー操作の機能を無効または制限するキーロック手段と
を備えていることを特徴とする電子機器。
【請求項２】
前記キーロック手段は、所定時間を計時する計時手段を備え、前記状態検出手段が前記非携帯状態を検出したとき前記計時手段を起動し、前記所定時間の経過後に前記一部のキー操作の機能を無効または制限することを特徴とする請求項１に記載の電子機器。
【請求項３】
前記キーロック手段は、前記状態検出手段が前記非携帯状態を検出している状況において通信機能部から着信有りの通知を受けた場合に、前記無効または制限している措置を解除することを特徴とする請求項１に記載の電子機器。
【請求項４】
前記キーロック手段は、前記通信機能部から前記着信に対する利用者の応答無しの通知を受けた場合に、再び前記無効または制限する措置を採ることを特徴とする請求項３に記載の電子機器。
【請求項５】
前記キーロック手段は、利用者が着信に対する応答に用いるキー操作を除く形で前記無効または制限する措置を採ることを特徴とする請求項１に記載の電子機器。
【請求項６】
前記キーロック手段は、前記無効または制限する措置を採っているときに前記状態検出手段が前記携帯状態を検出した場合には当該無効または制限している措置を解除することを特徴とする請求項１に記載の電子機器。
【請求項７】
前記キーロック手段は、所定時間を計時する計時手段を備え、前記無効または制限する措置を採っているときに前記状態検出手段が前記携帯状態を検出した場合には当該無効または制限している措置を解除するとともに前記計時手段を起動し、前記所定時間の経過後に再び前記一部のキー操作の機能を無効または制限することを特徴とする請求項１に記載の電子機器。
【請求項８】
前記所定時間は、固定的に定めた時間または利用者が設定した時間であることを特徴とする請求項２または７に記載の電子機器。
【請求項９】
前記状態検出手段は、外部から電力が供給される経路の電流有無または電圧有無に基づき、外部から電力が供給されていない状態を前記携帯状態として、外部から電力が供給されている状態を前記非携帯状態としてそれぞれ検出することを特徴とする請求項１に記載の電子機器。
【請求項１０】
前記状態検出手段は、当該電子機器の受け台への設置有無を電気的に、または、センサーを用いて、あるいは、機械的なスイッチを用いて検出することにより、設置されていない状態を前記携帯状態として、設置されている状態を前記非携帯状態としてそれぞれ検出することを特徴とする請求項１に記載の電子機器。
【発明の詳細な説明】
【技術分野】
【０００１】
この発明は、操作キーからの入力を制限するキーロック機能を備えた可搬可能な電子機器に関するものである。
【背景技術】
【０００２】
キーロック機能を備えた可搬可能な電子機器としては、端的には携帯電話機を挙げることができる。即ち、従来から、例えば携帯電話機には、バッグやポケットに収納している場合にキーが他と接触して誤操作が発生することを防ぐために、また、他者による不正使用を防ぐために、例えば、携帯電話機に備わっている特定のキーを所定時間以上押圧操作したり、複数のキーを組み合わせた操作をしたりすることによって、操作キーからの入力を無効にするか、または、操作キーからの入力を制限する、いわゆるキーロック機能が備わっており、種々の提案がなされている（例えば、特許文献１〜３等）。
【０００３】
即ち、例えば（特許文献１）では、特にキーロック専用の操作キーを設けなくとも簡単な操作でキーロック設定ができるようにして低コスト化や機器の小型化を図りながら使い勝手のよい携帯用電子機器を得るために、複数キーのうち任意の２つのキーを同時に押圧操作した時点から所定の時間範囲内に上記操作が解除された場合に、所定のキー操作の入力を無効にするキーロックモードの設定を行うことのできる技術が開示されている。
【０００４】
また、（特許文献２）では、開閉自在な蓋を設け、この開閉蓋を閉じた状態ではテンキー等の操作ボタンを覆うように構成された携帯電話装置において、開閉蓋に覆われる位置に設けられた操作ボタンのうちの１つを操作した後に、所定時間内に開閉蓋の閉操作を検出すると、開閉蓋に覆われない位置に設けられた操作ボタンのその後の操作を無効にする技術が開示されている。
【０００５】
また、（特許文献３）では、折り畳み型やフリップ型等の携帯電話機において、収納状態でキーロック操作を行うことができ、ポケット等への収容時でも取り出すことなくキーロック操作が可能なように、筐体閉状態でも押下操作可能な少なくとも１つの操作キーを、所定の押下順番で所定の押下回数だけ押下操作することによってキーロックを行えるようにする技術が開示されている。
【特許文献１】特開平８−３２１８０３号公報
【特許文献２】特開平９−２６６５０２号公報
【特許文献３】特開２００４−１２８７８０号公報
【発明の開示】
【発明が解決しようとする課題】
【０００６】
しかしながら、上記した従来の技術によるキーロック機能では、利用者が所定のキー操作を行うことによってキーロックの機能を有効にする場合、ロック操作を行うのに必要な所定のキー操作が煩雑であり、必ずしも使い勝手が良いとは言えず、利用者はロック操作を面倒がったり忘れたりするという問題がある。
【０００７】
この発明は、上記に鑑みてなされたものであり、利用者の特別なキー操作を要せずに装置側の判断で自動的に所定のキー操作を無効または制限することができる電子機器を得ることを目的とする。
【課題を解決するための手段】
【０００８】
上述した目的を達成するために、この発明は、外部からの電力供給有無、または、受け台への設置有無に応じて携帯状態と非携帯状態とを検出する状態検出手段と、前記状態検出手段が前記非携帯状態を検出した後に少なくとも一部のキー操作の機能を無効または制限するキーロック手段とを備えていることを特徴とする。
【０００９】
この発明によれば、利用者が当該電子機器を持ち歩いていない状態、即ち、当該電子機器が外部から電力の供給を受けている状態、あるいは、受け台に設置してある状態である非携帯状態を検出すると、自動的に少なくとも一部のキー操作の機能が無効または制限されるキーロック状態になる。したがって、利用者が操作を忘れてキーロックされない状態が減少するので、利用者が電子機器をキーロック状態にしないことで生じる収容時の誤操作や他者による不正使用を防ぐことができる。また、煩雑なキーロック操作をしなくて済むので、利用者の使い勝手を改善することができる。
【発明の効果】
【００１０】
この発明によれば、利用者が電子機器をキーロック状態にしないことで生じる収容時の誤操作や他者による不正使用を防ぐことができ、また、利用者の使い勝手を改善することができるという効果を奏する。
【発明を実施するための最良の形態】
【００１１】
以下に図面を参照して、この発明にかかる電子機器の好適な実施の形態を詳細に説明する。
【００１２】
（実施の形態１）
図１は、本発明の実施の形態１による電子機器としての携帯電話機の外観構成を示す斜視図である。図２は、図１に示す携帯電話機の電気的構成を示すブロック図である。
【００１３】
図１に示す電子機器としての携帯電話機１００は、電話機本体１０１には、送受信アンテナ１０２、受話スピーカ１０３、表示ＬＣＤ１０４、着信応答キー１０５、一般操作キー１０６、送話マイク１０７、外部電力を入力するための外部インターフェイス１０８、二次電池１０９、呼出リンガー１１０が配置され、内蔵する図２に示す電気的構成と相俟って単独で携帯電話機として機能し、携帯時には二次電池１０９から供給される電力を使って通話を行うことができる。
【００１４】
図２において、電力検知機能部２０１は、外部インターフェイス１０８から供給される電力の供給有無を検出し、電力が供給されていれば「非携帯」を示す携帯状態通知２２１をプロセッサ機能部２０８に通知するとともに、その供給される電力を充電給電機能部２０２に与える一方、電力が供給されていなければ「携帯」を示す携帯状態通知２２１をプロセッサ機能部２０８に通知する。
【００１５】
充電給電機能部２０２は、電力検知機能部２０１に入力される電力によって二次電池１０９を充電するとともに、本体内部で使用する電力を発生する内部電源機能部２０３に電力を供給する。なお、電力検知機能部２０１と充電給電機能部２０２とは、ここでは、理解を容易にするため別個の機能部として示してあるが、一つ機能部の中に組み込むことができる。
【００１６】
タイマ機能部２０４は、所定時間の計時を行い、完了すると、プロセッサ機能部２０８に満了通知２２２を行う。この場合の「所定時間」は、プロセッサ機能部２０８から起動指示２２３を受けて計時する予め設定された固定時間である場合と、タイマ設定機能部２０５から設定される所定時間である場合とがある。
【００１７】
タイマ設定機能部２０５は、プロセッサ機能部２０８から所定時間の設定要求２２４を受け取ると、タイマ機能部２０４に対して起動指示とその所定時間の設定とを行う。
【００１８】
プロセッサ機能部２０８は、メモリ機能部２０６に対してパラメータ読み書き２２５を行って、利用者が予め設定した所定時間のパラメータをメモリ機能部２０６に保持させ、メモリ機能部２０６に保持させたパラメータを参照してタイマ設定機能部２０５に所定時間の設定要求２２４を発行する。また、プロセッサ機能部２０８は、タイマ機能部２０４に対して所定の場合に起動指示２２３を発行する。
【００１９】
無線通信機能部２０７は、送受信アンテナ１０２、呼出リンガー１１０及び受話スピーカ１０３を駆動する受話機能部２０９、及び送話マイク１０７から音声信号を受け取る送話機能部２１０と、プロセッサ機能部２０８とのインターフェイスとして、プロセッサ機能部２０８の制御２２６の元で、自装置への呼び出しや音声情報を受信すると共に、着信通知２２７のプロセッサ機能部２０８への通知、発呼や音声情報の基地局宛への送信を行う。
【００２０】
プロセッサ機能部２０８は、無線通信機能部２０７の制御２２６だけでなく、表示機能部２１１を介して表示ＬＣＤ１０４に情報を表示し、着信応答キー１０５や一般操作キー１０６の押下状態（着信応答キー操作通知２２８、一般キー操作通知２２９）を、キー操作検知機能部２１２を介して受け取り、またキー操作検知機能部２１２に一般キー操作有効通知２３０を与え、この実施の形態によるキーロック機能を実施する上で必要な利用者とのインターフェイスを実現する。
【００２１】
次に、図３は、図１に示す携帯電話機を充電台から取り上げた状態を示す図であり、図４は、図１に示す携帯電話機を充電台に設置した状態を示す図である。図３に示すように充電台３０１は、充電インターフェイス３０２を備えている。この充電インターフェイス３０２は、電源アダプタ３０３から供給される電力を、図４に示すように、携帯電話機を充電台３０１に設置したときに接触する電話機本体１０１の外部インターフェイス１０８に伝達する。このように、外部インターフェイス１０８は、携帯電話機が充電台３０１に設置されているときに、電話機本体１０１内に電力を供給し、携帯電話機が充電台３０１に設置されていないときは、電話機本体１０１内に電力を供給しない。
【００２２】
電力検知機能部２０１は、例えば図５や図６に示すような構成によって、電力供給有無を検知するようにしている。図５と図６は、図２に示す電力検知機能部の構成例（その１、その２）を示すブロック図である。
【００２３】
図５、図６において、外部インターフェイス１０８は、「＋給電」端子と「接地点」端子とを備える。「＋給電」端子は、充電台３０１の充電インターフェイス３０２の正極端と接触する端子であり、「接地点」端子は充電インターフェイス３０２の負極端と接触する端子である。「接地点」端子は、電力検知機能部２０１内において共通の接地点に接地される。
【００２４】
図５に示す電力検知機能部２０１ａは、「＋給電」端子から充電給電機能部２０２への電力供給ラインに挿入した抵抗器５０１と、抵抗器５０１での降下電圧を電流に変換し、その変換電流値の有無を携帯状態通知２２１として出力する電流検出機能部５０２と備えている。
【００２５】
図６に示す電力検知機能部２０１ｂは、「＋給電」端子から充電給電機能部２０２への電力供給ラインと共通接地ラインとの間に直列に設けた２つの抵抗器６０１，６０２と、直列接続の抵抗器６０１，６０２による分圧回路が出力する分圧電圧（図示例では抵抗器６０１の端子電圧）を検出し、その分圧電圧の出力有無を携帯状態通知２２１として出力する電圧検出機能部６０３と備えている。
【００２６】
以上のように構成されるこの実施の形態１による可搬可能な電子機器としての携帯電話機では、次のような各種の方法でキーロック機能を実現することができる。
【００２７】
（Ａ）第１のキーロック機能を実現する手順
図３に示すように、携帯電話機が充電台３０１から取り外されていると、電話機本体１０１内に電力供給が無いので、電力検知機能部２０１は電力供給無しを検知し、プロセッサ機能部２０８への携帯状態通知２２１を「携帯」にする。そして、充電台３０１が電源アダプタ３０３に接続されているときに、図４に示すように、携帯電話機を充電台３０１に設置しておくと、電源アダプタ３０３から供給される電力が、充電台３０１の充電インターフェイス３０２、電話機本体１０１の外部インターフェイス１０８の経路で電話機本体１０１内に供給されるので、電力検知機能部２０１は、図５に示した電力検知機能部２０１ａであるときは電流有無を検出することで、図６に示した電力検知機能部２０１ｂであるときは電圧有無を検出することで、電力供給有りを検知し、プロセッサ機能部２０８への携帯状態通知２２１を「携帯」から「非携帯」に切り替える。
【００２８】
プロセッサ機能部２０８は、携帯状態通知２２１が「携帯」から「非携帯」に切り替わったことを検知すると、キー操作検知機能部２１２への一般キー操作有効通知２３０を「無効」にセットする。これによって、キー操作検知機能部２１２は、一般操作キー１０６からのキー押下の情報を一般キー操作通知２２９としてプロセッサ機能部２０８に出力しないように機能する。
【００２９】
プロセッサ機能部２０８は、キー操作検知機能部２１２から受け取る着信応答キー操作通知２２８がロック解除の操作を示すまで、キー操作検知機能部２１２への一般キー操作有効通知２３０を「無効」にセットし続ける。
【００３０】
そして、プロセッサ機能部２０８は、キー操作検知機能部２１２からそのロック解除操作を示す着信応答キー操作通知２２８を受け付けると、キー操作検知機能部２１２への一般キー操作有効通知２３０を「有効」にセットする。これによって、キー操作検知機能部２１２は、一般操作キー１０６からのキー押下の情報を一般キー操作通知２２９としてプロセッサ機能部２０８に出力するように機能する。
【００３１】
このように、携帯電話機が電力供給を受けているときは、携帯電話機自体が非携帯を検知して自動的に一般操作キー１０６でのキー操作を無効にするので、利用者が携帯電話機をキーロック状態にしないことで生じる収容時の誤操作や他者による不正使用を防ぐことができる。また、利用者が操作する「ロック解除の操作」としては、例えば、着信応答キー１０５を一定時間以上押し続けるキー操作を適用することができるので、利用者は、携帯電話機自体が自動的にキーロック状態になっても簡明な操作によってそのキーロック状態を解除することができ、利用者の使い勝手を改善することができる。
【００３２】
（Ｂ）第２のキーロック機能を実現する手順
図３に示すように、携帯電話機が充電台３０１から取り外されていると、電話機本体１０１内に電力供給が無いので、電力検知機能部２０１は電力供給無しを検知し、プロセッサ機能部２０８への携帯状態通知２２１を「携帯」にする。そして、充電台３０１が電源アダプタ３０３に接続されているときに、図４に示すように、携帯電話機を充電台３０１に設置しておくと、電源アダプタ３０３から供給される電力が、充電台３０１の充電インターフェイス３０２、電話機本体１０１の外部インターフェイス１０８の経路で電話機本体１０１内に供給されるので、電力検知機能部２０１は電力供給有りを検知し、プロセッサ機能部２０８への携帯状態通知２２１を「携帯」から「非携帯」に切り替える。
【００３３】
プロセッサ機能部２０８は、携帯状態通知２２１が「携帯」から「非携帯」に切り替わったことを検知すると、タイマ機能部２０４に対して起動指示２２３を発行する。これによって、タイマ機能部２０４は、固定的に設定された所定時間の計時動作を開始し、所定時間を経過すると、プロセッサ機能部２０８に所定時間の満了通知２２２を与える。
【００３４】
プロセッサ機能部２０８は、その満了通知２２２を受けて、キー操作検知機能部２１２への一般キー操作有効通知２３０を「無効」にセットする。これによって、キー操作検知機能部２１２は、一般操作キー１０６からのキー押下の情報を一般キー操作通知２２９としてプロセッサ機能部２０８に出力しないように機能する。
【００３５】
プロセッサ機能部２０８は、キー操作検知機能部２１２から受け取る着信応答キー操作通知２２８がロック解除の操作を示すまで、キー操作検知機能部２１２への一般キー操作有効通知２３０を「無効」にセットし続ける。そして、プロセッサ機能部２０８は、キー操作検知機能部２１２からそのロック解除操作を示す着信応答キー操作通知２２８を受け取ると、キー操作検知機能部２１２への一般キー操作有効通知２３０を「有効」にセットする。これによって、キー操作検知機能部２１２は、一般操作キー１０６からのキー押下の情報を一般キー操作通知２２９としてプロセッサ機能部２０８に出力するように機能する。
【００３６】
このように、携帯電話機が電力供給を受けていることを検知しても、予め設定した所定時間が経過するまでは、一般操作キー１０６をロック状態にせず、その所定時間の経過後に一般操作キー１０６をロック状態にするので、例えば、利用者が一旦充電台３０１に置いた携帯電話機を所定時間が経過する前に再び取り上げて所望のキー操作を行う場合に、未だキーロックされていないので、利用者はロック解除の操作をする手間が減り、使い勝手を改善することができる。
【００３７】
（Ｃ）第３のキーロック機能を実現する手順
図３に示すように、携帯電話機が充電台３０１から取り外されていると、電話機本体１０１内に電力供給が無いので、電力検知機能部２０１は電力供給無しを検知し、プロセッサ機能部２０８への携帯状態通知２２１を「携帯」にする。そして、充電台３０１が電源アダプタ３０３に接続されているときに、図４に示すように、携帯電話機を充電台３０１に設置しておくと、電源アダプタ３０３から供給される電力が、充電台３０１の充電インターフェイス３０２、本体１０１の外部インターフェイス１０８の経路で電話機本体１０１内に供給されるので、電力検知機能部２０１は電力供給有りを検知し、プロセッサ機能部２０８への携帯状態通知２２１を「携帯」から「非携帯」に切り替える。
【００３８】
プロセッサ機能部２０８は、携帯状態通知２２１が「携帯」から「非携帯」に切り替わったことを検知すると、メモリ機能部２０６から利用者が設定した時間情報を読み出してタイマ設定機能部２０５に所定時間の設定要求２２４を発行する。これによって、タイマ機能部２０４は、タイマ設定機能部２０５から設定された所定時間の計時動作を開始し、所定時間を経過すると、プロセッサ機能部２０８に所定時間の満了通知２２２を与える。
【００３９】
プロセッサ機能部２０８は、その満了通知２２２を受けて、キー操作検知機能部２１２への一般キー操作有効通知２３０を「無効」にセットする。これによって、キー操作検知機能部２１２は、一般操作キー１０６からのキー押下の情報を一般キー操作通知２２９としてプロセッサ機能部２０８に出力しないように機能する。
【００４０】
プロセッサ機能部２０８は、キー操作検知機能部２１２から受け取る着信応答キー操作通知２２８がロック解除の操作を示すまで、キー操作検知機能部２１２への一般キー操作有効通知２３０を「無効」にセットし続ける。そして、プロセッサ機能部２０８は、キー操作検知機能部２１２からそのロック解除操作を示す着信応答キー操作通知２２８を受け取ると、キー操作検知機能部２１２への一般キー操作有効通知２３０を「有効」にセットする。これによって、キー操作検知機能部２１２は、一般操作キー１０６からのキー押下の情報を一般キー操作通知２２９としてプロセッサ機能部２０８に出力するように機能する。
【００４１】
このように、携帯電話機が電力供給を受けていることを検知しても、利用者が設定した所定時間が経過するまでは、一般操作キー１０６をロック状態にせず、その所定時間の経過後に一般操作キー１０６をロック状態にするので、上記第２のキーロック機能と同様に利用者はロック解除の操作をする手間が減り、使い勝手を改善することができる。
【００４２】
（Ｄ）第４のキーロック機能を実現する手順
図３に示すように、携帯電話機が充電台３０１から取り外されていると、電話機本体１０１内に電力供給が無いので、電力検知機能部２０１は電力供給無しを検知し、プロセッサ機能部２０８への携帯状態通知２２１を「携帯」にする。そして、充電台３０１が電源アダプタ３０３に接続されているときに、図４に示すように、携帯電話機を充電台３０１に設置しておくと、電源アダプタ３０３から供給される電力が、充電台３０１の充電インターフェイス３０２、電話機本体１０１の外部インターフェイス１０８の経路で電話機本体１０１内に供給されるので、電力検知機能部２０１は電力供給有りを検知し、プロセッサ機能部２０８への携帯状態通知２２１を「携帯」から「非携帯」に切り替える。
【００４３】
プロセッサ機能部２０８は、携帯状態通知２２１が「携帯」から「非携帯」に切り替わったことを検知すると、キー操作検知機能部２１２への一般キー操作有効通知２３０を「無効」にセットする。これによって、キー操作検知機能部２１２は、一般操作キー１０６からのキー押下の情報を一般キー操作通知２２９としてプロセッサ機能部２０８に出力しないように機能する。
【００４４】
プロセッサ機能部２０８は、キー操作検知機能部２１２から受け取る着信応答キー操作通知２２８がロック解除の操作を示すまで、キー操作検知機能部２１２への一般キー操作有効通知２３０を「無効」にセットし続ける。そして、キー操作検知機能部２１２からロック解除の操作を示す着信応答キー操作通知２２８を受け取る前に、外部からの着信が発生して無線通信機能部２０７からの着信通知２２７が「着信有」を示すと、プロセッサ機能部２０８は、一般キー操作有効通知２３０を「有効」にセットする。これによって、キー操作検知機能部２１２は、一般操作キー１０６からのキー押下の情報を一般キー操作通知２２９としてプロセッサ機能部２０８に出力するように機能する。
【００４５】
このように、外部から電力が供給されていることを検出すると、一般操作キーの操作をロックするが、そのロックを解除する操作が行われる前に着信を検知した場合はそのロックを解除する。したがって、例えば、充電台３０１に置いた状態でも着信に応答可能な携帯電話機が充電台３０１に置かれた状態において、電力供給を検出して操作キーをロックしていても、その充電台３０１に置かれた状態での着信時にキーロックが解除されるので、利用者は着信に応答する際にロック解除の操作をする手間が減り、使い勝手を改善することができる。
【００４６】
（Ｅ）第５のキーロック機能を実現する手順
図３に示すように、携帯電話機が充電台３０１から取り外されていると、電話機本体１０１内に電力供給が無いので、電力検知機能部２０１は電力供給無しを検知し、プロセッサ機能部２０８への携帯状態通知２２１を「携帯」にする。そして、充電台３０１が電源アダプタ３０３に接続されているときに、図４に示すように、携帯電話機を充電台３０１に設置しておくと、電源アダプタ３０３から供給される電力が、充電台３０１の充電インターフェイス３０２、電話機本体１０１の外部インターフェイス１０８の経路で電話機本体１０１内に供給されるので、電力検知機能部２０１は電力供給有りを検知し、プロセッサ機能部２０８への携帯状態通知２２１を「携帯」から「非携帯」に切り替える。
【００４７】
プロセッサ機能部２０８は、携帯状態通知２２１が「携帯」から「非携帯」に切り替わったことを検知すると、キー操作検知機能部２１２への一般キー操作有効通知２３０を「無効」にセットする。これによって、キー操作検知機能部２１２は、一般操作キー１０６からのキー押下の情報を一般キー操作通知２２９としてプロセッサ機能部２０８に出力しないように機能する。
【００４８】
プロセッサ機能部２０８は、キー操作検知機能部２１２から受け取る着信応答キー操作通知２２８がロック解除の操作を示すまで、キー操作検知機能部２１２への一般キー操作有効通知２３０を「無効」にセットし続ける。そして、キー操作検知機能部２１２からロック解除の操作を示す着信応答キー操作通知２２８を受け取る前に、外部からの呼び出し着信が発生して無線通信機能部２０７からの着信通知２２７が「着信有」を示すと、プロセッサ機能部２０８は、キー操作検知機能部２１２への一般キー操作有効通知２３０を「有効」にセットする。これによって、キー操作検知機能部２１２は、一般操作キー１０６からのキー押下の情報を一般キー操作通知２２９としてプロセッサ機能部２０８に出力するように機能する。
【００４９】
しかし、利用者がこの外部からの着信に応答せず、外部からの呼び出しが切れて、無線通信機能部２０７からの着信通知２２７が「着信無」を示すと、プロセッサ機能部２０８は、再び一般キー操作有効通知２３０を「無効」にセットする。その結果、キー操作検知機能部２１２は、一般操作キー１０６からのキー押下の情報を一般キー操作通知２２９としてプロセッサ機能部２０８に出力しないように機能し、プロセッサ機能部２０８は、この状態を利用者がロック解除の操作をするまで継続する。
【００５０】
このように、外部から電力が供給されていることを検出すると、一般操作キーの操作をロックし、そのロックを解除する操作が行われる前に着信を検知した場合はそのロックを解除するが、利用者が着信に応答しなかったときは再び一般操作キーのキー操作をロックする。したがって、例えば、充電台に置いた状態でも着信に応答可能な携帯電話機が充電台３０１に置かれた状態において、電力供給を検出して操作キーをロックし、着信時にはキーロックを解除するが、その着信に利用者が応答しなかった場合は再びキー操作をロックするので、利用者は着信に応答する際のロック解除の手間が減り、また、着信に応答しない場合はキーのロック操作をする手間が減り、使い勝手を改善するこができる。
【００５１】
（Ｆ）第６のキーロック機能を実現する手順
図３に示すように、携帯電話機が充電台３０１から取り外されていると、電話機本体１０１内に電力供給が無いので、電力検知機能部２０１は電力供給無しを検知し、プロセッサ機能部２０８への携帯状態通知２２１を「携帯」にする。そして、充電台３０１が電源アダプタ３０３に接続されているときに、図４に示すように、携帯電話機を充電台３０１に設置しておくと、電源アダプタ３０３から供給される電力が、充電台３０１の充電インターフェイス３０２、電話機本体１０１の外部インターフェイス１０８の経路で電話機本体１０１内に供給されるので、電力検知機能部２０１は電力供給有りを検知し、プロセッサ機能部２０８への携帯状態通知２２１を「携帯」から「非携帯」に切り替える。
【００５２】
プロセッサ機能部２０８は、携帯状態通知２２１が「携帯」から「非携帯」に切り替わったことを検知すると、キー操作検知機能部２１２への一般キー操作有効通知２３０を「無効」にセットする。これによって、キー操作検知機能部２１２は、一般操作キー１０６からのキー押下の情報を一般キー操作通知２２９としてプロセッサ機能部２０８に出力しないように機能する。
【００５３】
プロセッサ機能部２０８は、キー操作検知機能部２１２から受け取る着信応答キー操作通知２２８がロック解除の操作を示すまで、キー操作検知機能部２１２への一般キー操作有効通知２３０を「無効」にセットし続ける。そして、外部からの呼び出し着信が発生して無線通信機能部２０７からの着信通知２２７が「着信有」を示し、利用者が着信応答キー１０５を押下操作すると、キー操作検知機能部２１２から着信応答キー操作通知２２８としてプロセッサ機能部２０８に通知されるので、プロセッサ機能部２０８は、着信に応答するように機能する。つまり、キー操作検知機能部２１２への一般キー操作有効通知２３０を「有効」にセットする。
【００５４】
このように、外部から電力が供給されていることを検出すると、一般操作キーの操作をロックし利用者が着信に応答するために用いる着信応答キーの操作はロックしない。したがって、例えば、充電台に置いた状態でも着信に応答可能な携帯電話機が充電台３０１に置かれた状態において、電力供給を検出して操作キーをロックする場合、着信に応答するためのキー操作はロックされないので、利用者は着信に応答する際にロック解除の操作をする手間が減り、利用者の使い勝手を改善することができる。
【００５５】
（Ｇ）第７のキーロック機能を実現する手順
図３に示すように、携帯電話機が充電台３０１から取り外されていると、電話機本体１０１内に電力供給が無いので、電力検知機能部２０１は電力供給無しを検知し、プロセッサ機能部２０８への携帯状態通知２２１を「携帯」にする。そして、充電台３０１が電源アダプタ３０３に接続されているときに、図４に示すように、携帯電話機を充電台３０１に設置しておくと、電源アダプタ３０３から供給される電力が、充電台３０１の充電インターフェイス３０２、電話機本体１０１の外部インターフェイス１０８の経路で電話機本体１０１内に供給されるので、電力検知機能部２０１は電力供給有りを検知し、プロセッサ機能部２０８への携帯状態通知２２１を「携帯」から「非携帯」に切り替える。
【００５６】
プロセッサ機能部２０８は、携帯状態通知２２１が「携帯」から「非携帯」に切り替わったことを検知すると、キー操作検知機能部２１２への一般キー操作有効通知２３０を「無効」にセットする。これによって、キー操作検知機能部２１２は、一般操作キー１０６からのキー押下の情報を一般キー操作通知２２９としてプロセッサ機能部２０８に出力しないように機能する。
【００５７】
通常、この状態は利用者がロック解除の操作をするまで継続するが、図３に示すように携帯電話機を充電台３０１から取り上げると、外部インターフェイス１０８からの電力供給が遮断されるので、電力検知機能部２０１は、携帯状態通知２２１を「非携帯」から「携帯」に切り替える。
【００５８】
すると、プロセッサ機能部２０８は、携帯状態通知２２１が「非携帯」から「携帯」に切り替わったことを検知して、一般キー操作有効通知２３０を「有効」にセットするので、キー操作検知機能部２１２は、一般操作キー１０６からのキー押下の情報を一般キー操作通知２２９としてプロセッサ機能部２０８に出力するように機能する。
【００５９】
このように、外部から電力が供給されていることを検出すると、キー操作をロックするが、外部から電力供給が遮断されると、キー操作のロックを解除する。したがって、例えば、充電台３０１に置いた携帯電話機が電力供給を検出して操作キーをロックするが、利用者が携帯電話機を充電台３０１から取り上げた時点でロックを解除するので、利用者は充電台３０１から取り上げた直後にキー操作を行う際にロック解除の操作をする手間が減り、使い勝手を改善することができる。
【００６０】
（Ｈ）第８のキーロック機能を実現する手順
上記の第７のキーロック機能において、プロセッサ機能部２０８は、電力の供給が遮断されたことで、キー操作検知機能部２１２に一般操作キー１０６からのキー押下の情報を一般キー操作通知２２９としてプロセッサ機能部２０８に出力するように機能させると、続いてタイマ機能部２０４を起動し、タイマ機能部２０４から所定時間の経過を示す満了通知２２２を受け取ると、一般キー操作有効通知２３０を「無効」にセットする。これによって、キー操作検知機能部２１２は、一般操作キー１０６からのキー押下の情報を一般キー操作通知２２９としてプロセッサ機能部２０８に出力しないように機能する。
【００６１】
このように、外部から電力が供給されていることを検出すると、キー操作をロックするが、外部から電力供給が遮断されると、キー操作のロックを解除し、所定時間後に再びキー操作をロックするので、例えば、充電台３０１に置いた携帯電話機が電力供給を検出して操作キーをロックするが、利用者が携帯電話機を充電台３０１から取り上げた時点でロックを解除するので、充電台３０１から取り上げた直後にキー操作を行う際にロック解除の操作をする手間が減り、また、携帯電話機を充電台３０１に戻さない場合であっても所定時間経過後に再びロックされるので、再びキーロックの操作をする手間が減り、使い勝手を改善することができる。
【００６２】
（Ｉ）第９のキーロック機能を実現する手順
上記の第７のキーロック機能において、プロセッサ機能部２０８は、電力の供給が遮断されたことで、キー操作検知機能部２１２に一般操作キー１０６からのキー押下の情報を一般キー操作通知２２９としてプロセッサ機能部２０８に出力するように機能させると、続いてメモリ機能部２０６から利用者が設定した時間情報を読み出してタイマ設定機能部２０５に所定時間の設定要求２２４を発行する。これによって、タイマ機能部２０４は、タイマ設定機能部２０５から設定された所定時間の計時動作を開始し、所定時間を経過すると、プロセッサ機能部２０８に所定時間の満了通知２２２を与える。
【００６３】
プロセッサ機能部２０８は、一般キー操作有効通知２３０を「無効」にセットするので、キー操作検知機能部２１２は、一般操作キー１０６からのキー押下の情報を一般キー操作通知２２９としてプロセッサ機能部２０８に出力しないように機能する。
【００６４】
このように、外部から電力が供給されていることを検出すると、キー操作をロックするが、外部からの電力供給が遮断されると、キー操作をロック解除し、利用者が設定した所定時間後に再びキー操作をロックする。したがって、例えば、充電台３０１に置いた携帯電話機が電力供給を検出して操作キーをロックするが、利用者が携帯電話機を充電台から取り上げた時点でロックを解除するので、充電台３０１から取り上げた直後にキー操作を行う際にロック解除の操作をする手間が減り、また、携帯電話機を充電台に戻さない場合であっても利用者が設定した所定時間経過後に再びロックされるので再びキーロックの操作をする手間が減り、使い勝手を改善することができる。
【００６５】
なお、電力供給手段として充電台を示したが、これに限定されるものではない。その他例えば、ＵＳＢケーブルを用いたパーソナルコンピュータからの給電や、自動車のＤＣ出力からの給電なども、電力供給手段として用いることができる。
【００６６】
（実施の形態２）
図７は、本発明の実施の形態２による電子機器としての携帯電話機の電気的構成を示すブロック図である。なお、図７では、図２の実施の形態１に示した構成要素と同一ないしは同等である構成要素には同一の符号が付されている。ここでは、この実施の形態２に関わる部分である「携帯状態と非携帯状態とを検出する状態検出手段」の他の構成例について説明する。
【００６７】
図７に示すこの実施の形態２による携帯電話機は、外観構成は図１と同様であるが、その電気的構成では、図２の実施の形態１に示した構成において、外部インターフェイス１０８に代えて外部インターフェイス７０１が設けられ、電力検知機能部２０１が削除されている。
【００６８】
外部インターフェイス７０１は、外部インターフェイス１０８と同位置に配置され、外部インターフェイス１０８と同様の電気的構成によって外部電力を取り込み、それを充電給電機能部２０２に直接供給するが、この実施の形態２に関わる電気的構成として、例えば図８に示す構成が追加されている。
【００６９】
そして、携帯状態検知機能部７０２が追加されている。携帯状態検知機能部７０２は、例えば図８に示すように外部インターフェイス７０１と電力の授受を行い、その過程で、電力の供給有無を検知し、電力検知機能部２０１と同様に、当該携帯電話機が「携帯状態」であるか「非携帯状態」であるかを示す携帯状態通知２２１をプロセッサ機能部２０８に通知する。
【００７０】
図８は、実施の形態２による携帯電話機を設置する受け台と図７に示す外部インターフェイス及び携帯状態検知機能部との関係を説明する図である。図８に示すように、実施の形態２による携帯電話機を設置する受け台８０１は、電気的に接続された２つの接点８０２，８０３を備えている。外部インターフェイス７０１は、同様に２つの電気的な接点８０５，８０６を備え、実施の形態２による携帯電話機を受け台８０１に設置すると、受け台８０１の接点８０２と外部インターフェイス７０１の接点８０５とが接触し、受け台８０１の接点８０３と外部インターフェイス７０１の接点８０６とが接触する。
【００７１】
携帯状態検知機能部７０２は、内蔵する定電圧源と外部インターフェイス７０１の接点８０５と間の接続ラインに挿入した抵抗器８１１と、外部インターフェイス７０１の接点８０６に接続される携帯状態通知２２１の通知ラインと接地との間に設けられる抵抗器８１２とを備える。
【００７２】
図８に示す構成では、受け台８０１に携帯電話機を設置すると、内蔵する定電圧源→抵抗器８１１→接点８０５→接点８０２→接点８０３→接点８０６→携帯状態通知２２１の通知ラインのルートが形成されるので、抵抗器８１１と抵抗器８１２とは、定電圧源と接地との間に直列接続された分圧回路を構成し、携帯状態通知２２１の通知ラインが接続される抵抗器８１１，８１２の直列接続端に現れる所定値の分圧電圧がそのまま、「非携帯状態」を示す携帯状態通知２２１としてプロセッサ機能部２０８に与えられる。
【００７３】
一方、受け台８０１に携帯電話機を設置していない場合は、外部インターフェイス７０１の接点８０５と接点８０６との間はオープン状態になり、接点８０６の電位は不安定状態となるが、抵抗器８１２が接点８０６を接地電位に引き込むので、これによる接点８０６の電位「０」が「携帯状態」を示す携帯状態通知２２１としてプロセッサ機能部２０８に与えられる。
【００７４】
これによって、プロセッサ機能部２０８は、実施の形態１と同様に、携帯状態通知２２１が「携帯」から「非携帯」に切り替わったことを検知すると、キー操作検知機能部２１２への一般キー操作有効通知２３０を「無効」にセットする。キー操作検知機能部２１２は、一般操作キー１０６からのキー押下の情報を一般キー操作通知２２９としてプロセッサ機能部２０８に出力しないように機能する。この状態は、通常利用者がロック解除の操作をするまで継続するが、実施の形態１にて説明した各種の態様で解除措置が採られる。
【００７５】
ここで、外部インターフェイス７０１は、このように携帯電話機の受け台８０１への設置有無を電気的に検知する機能を持つものとして構成されるが、この検知機能は、センサーや機械的なスイッチを用いても構成することができる。
【００７６】
このように、この実施の形態２においては、当該携帯電話機を受け台に設置するとき、利用者がキーロック状態にする操作をしなくとも、自動的にキーロック状態になるので、実施の形態１と同様に、携帯電話機をキーロック状態にしないことで生じる収容時の誤動作や他者による不正使用を防ぐことができる。また、煩雑なキーロック操作を少なくすることができるので、利用者の使い勝手を改善することができる。
【００７７】
なお、以上の実施の形態１，２では、理解を容易にするため電子機器としての携帯電話機への適用例を示したが、本発明の電子機器が実現するキーロック方式は、非携帯状態を検出して少なくとも一部のキー操作の機能を無効または制限することを特徴とするので、携帯電話機への適用に限定されるものではなく、その他、例えば充電回路を備えた携帯型情報端末や置き台に設置可能な電子機器にも適用可能である。また、他者による不正使用を防ぐ効果もあるので、非携帯時は充電器に設置される一般家庭用コードレス電話機のハンドセット子機や、充電回路を内蔵した情報端末例えばノートパソコンなどに適用することも可能である。
【産業上の利用可能性】
【００７８】
以上のように、この発明にかかる電子機器は、利用者が電子機器をキーロック状態にしないことで生じる収容時の誤操作や他者による不正使用を防ぎ、また、利用者の使い勝手を改善するのに有用であり、特に、充電回路を備えた携帯型情報端末などの電子機器や受け台に設置可能な電子機器に好適である。
【図面の簡単な説明】
【００７９】
【図１】本発明の実施の形態１による電子機器としての携帯電話機の外観構成を示す斜視図
【図２】図１に示す携帯電話機の電気的構成を示すブロック図
【図３】図１に示す携帯電話機を充電台から取り上げた状態を示す図
【図４】図１に示す携帯電話機を充電台に設置した状態を示す図
【図５】図２に示す電力検知機能部の構成例（その１）を示すブロック図
【図６】図２に示す電力検知機能部の構成例（その２）を示すブロック図
【図７】本発明の実施の形態２による電子機器としての携帯電話機の電気的構成を示すブロック図
【図８】実施の形態２による携帯電話機を設置する受け台と図７に示す外部インターフェイス及び携帯状態検知機能部との関係を説明する図
【符号の説明】
【００８０】
１００    携帯電話機（電子機器）
１０１    電話機本体
１０２    送受信アンテナ
１０３    受話スピーカ
１０４    表示ＬＣＤ
１０５    着信応答キー
１０６    一般操作キー
１０７    送話マイク
１０８    外部インターフェイス
１０９    二次電池
１１０    呼出リンガー
２０１，２０１ａ，２０１ｂ    電力検知機能部
２０２    充電給電機能部
２０３    内部電源機能部
２０４    タイマ機能部
２０５    タイマ設定機能部
２０６    メモリ機能部
２０７    無線通信機能部
２０８    プロセッサ機能部
２０９    受話機能部
２１０    送話機能部
２１１    表示機能部
２１２    キー操作検知機能部
２２１    携帯状態通知
２２２    満了通知
２２３    起動指示
２２４    所定時間の設定要求
２２５    パラメータ読み書き
２２６    制御
２２７    着信通知
２２８    着信応答キー操作通知
２２９    一般キー操作通知
２３０    一般キー操作有効通知
３０１    充電台
３０２    充電インターフェイス
３０３    電源アダプタ
５０１，６０１，６０２，８１１，８１２    抵抗器
５０２    電流検知機能部
６０３    電圧検知機能部
７０１    外部インターフェイス
７０２    携帯状態検知機能部
８０１    受け台
８０２，８０３，８０５，８０６    接点
【図１】
2007329789.tif 000003
【図２】
2007329789.tif 000004
【図３】
2007329789.tif 000005
【図４】
2007329789.tif 000006
【図５】
2007329789.tif 000007
【図６】
2007329789.tif 000008
【図７】
2007329789.tif 000009
【図８】
2007329789.tif 000010